(57)【特許請求の範囲】
【請求項１】
動植物の生息空間を形成する簡易設置型のユニット型ビオトープであって、平面形状が一辺長を他の辺長の整数倍とする矩形、六角形、又は三角形であり上部が開放され底部が水密性の複数のコンテナ状容器を連結して配置し、コンテナ状容器内に底部から順に骨材層と土壌層からなり表面は畑土などの自然土壌により被覆された植栽基盤及び多様或いは選択的な生物の生息、導入、誘致を目的として選定された植栽植物を備えると共に、前記コンテナ状容器の壁部は、マット状の被覆部材で被覆され、前記被覆部材の端部は、コンテナ状容器内に延設されるか若しくはコンテナ状容器外の容器設置面に接地されていることを特徴とするユニット型ビオトープ。
【発明の詳細な説明】
【０００１】
【発明の属する技術分野】
本発明は、簡易設置型のユニット型ビオトープに関する。
【０００２】
【従来の技術】
近年、都市域において深刻化するヒートアイランド現象の緩和や、都市環境の改善、身近な緑空間の創出などを目的として、建築物緑化やベランダ、バルコニー緑化へのニーズが増大している。一方、身近な動植物の生息空間を復元または創造することを目的として、いわゆるビオトープの創出が行われているが、とくに都市部では、そのために有効なスペースを確保することが依然困難な状況にあるのが現状である。従って、屋上空間や、ベランダ、バルコニー空間をビオトープ化することによって生物の多様性を向上させ、都市環境と身近な自然との共存を図ることが求められている。
【０００３】
【発明が解決しようとする課題】
しかしながら、従来の屋上緑化技術を、多様な面積や構造をもつ一般建築物の屋上や、ベランダ、バルコニーといった空間に適用するには以下のような問題があり、より簡易で実用的な緑化空間の形成手法が求められている。
▲１▼まとまった面積の空間を必要とし、
▲２▼防水工事や給排水設備工事などに多大な費用と施工期間を必要とし、
▲３▼施工後は綿密なメンテナンスが必要であり、補修、改修、解体においても手間と費用がかかる。
【０００４】
本発明は、上記の従来の問題を解決するものであって、建築物における設置場所やその面積、形状によらず、空間を有効に利用することができるユニット型ビオトープを提供することを目的とする。
【０００５】
【課題を解決するための手段】
上記目的を達成するために、本発明は、動植物の生息空間を形成する簡易設置型のユニット型ビオトープであって、平面形状が一辺長を他の辺長の整数倍とする矩形、六角形、又は三角形であり上部が開放され底部が水密性の複数のコンテナ状容器を連結して配置し、コンテナ状容器内に底部から順に骨材層と土壌層からなり表面は畑土などの自然土壌により被覆された植栽基盤及び多様或いは選択的な生物の生息、導入、誘致を目的として選定された植栽植物を備えたことを特徴とし、前記コンテナ状容器の壁部は、マット状の被覆部材で被覆され、前記被覆部材の端部は、コンテナ状容器内に延設されるか若しくはコンテナ状容器外の容器設置面に接地されていることを特徴とする。
【０００６】
【発明の実施の形態】
以下、本発明の実施の形態を図面を参照しつつ説明する。図１は、本発明のユニット型ビオトープの１実施形態を示す全体斜視図である。
【０００７】
本発明に係わるビオトープは、水生生物を生息させるための池用のコンテナ状容器１と、この池用のコンテナ状容器１の周囲に沿って配設され、植栽空間を形成するための複数の植栽用のコンテナ状容器２とから構成されている。植栽植物は多様或いは選択的な生物の生息、導入、誘致を目的として選定される。なお、コンテナ状容器１、２の組み合わせはこれに限定されるものではなく、単一または複数を任意に組み合わせることにより、移動可能な簡易設置型のビオトープを実現することができる。また、池用のコンテナ状容器１は必要に応じて連結させるようにしてもよい。
【０００８】
図２は、図１のコンテナ状容器１、２の斜視図である。容器としては樹脂製または鋼製等の、上部が開放され底部が水密性のものを採用する。容器の平面形状は矩形（一辺長を他の辺長の整数倍とすることにより、多様な並べ方を可能とする）、六角形、三角形等とし、これらを連結して配置することにより、全体形状の可変度の高い連続的な植生基盤を形成する。コンテナ状容器１、２の底部には一対の凹溝ｍが形成されており、この凹溝ｍにフォークリフトのフォークを差し込んでコンテナ状容器の運搬をするようにしている。なお、凹溝ｍの代わりに、台車または車輪等と一体化し容易な移動が可能な形態を持たせるようにしてもよい。
【０００９】
図３は、複数の植生用のコンテナ状容器２同士の連結方法を示す図である。隣接するコンテナ状容器の壁部に樋状の歩行路用の連結部材３ａを差し込んで、管理、鑑賞用に人が歩くことができるようにする。また、コンテナ状容器の壁部の一部に切欠部ｋを形成し、この切欠部ｋに沿って切欠部用連結部材３ｂを差し込んで、連結部材３ｂ上にも土壌層を形成するようにし、図示点線で示すように、土壌空間の連続性を保ち土壌生物等のコンテナ状容器間の移動を確保している。
【００１０】
なお、池用のコンテナ状容器１同士も歩行路用連結部材３ａや切欠部用連結部材３ｂで連結し、管理、鑑賞用に人が歩くことができるようにするとともに、水生生物等のコンテナ状容器間の移動を可能にしてもよい。
【００１１】
図４は、本発明のユニット型ビオトープの１実施形態を示す断面図である。池用のコンテナ状容器１と植栽用のコンテナ状容器２の上端は、歩行路用連結部材３ａで連結されている。図で左側の植栽用のコンテナ状容器２には、土留用の壁部材５が取り付けられ、これにより植栽基盤（後述する人工骨材層６、人工軽量土壌層７、畑土等の正常の土壌層８）に傾斜面をつけることを可能にしている。
【００１２】
歩行路用連結部材３ａおよび壁部材５の上面並びに容器の他の壁部上には、表面に適度な凹凸もしくは粗度を備えたヤシガラ等の繊維質材料からなるマット状の被覆部材４が被覆され、被覆部材４の一端は植栽用のコンテナ状容器２内に延設され、他端は池用のコンテナ状容器２内に延設されている。なお、隣接するコンテナ状容器が植栽用のコンテナ状容器２同士の場合には、被覆部材４の両端はコンテナ状容器２内に延設させ、コンテナ状容器２が何物とも連結していない場合には被覆部材４の端部を地面又は床等の容器設置面９と接地するように延設する。
【００１３】
この被覆部材４は、ビオトープ空間の景観に配慮し、また、昆虫等の小動物の落下を防ぎまたは池に落ちた生物が這い上がれるようにするとともに、コンテナ状容器間の移動を容易にさせている。
【００１４】
植栽用コンテナ状容器２内には、底部から順に、人工骨材層６、人工軽量土壌層７、畑土等の正常の土壌層８からなる植栽基盤が設置されている。人工骨材層６、人工軽量土壌層７、畑土等の正常の土壌層８の割合は本発明のユニット型ビオトープの設置場所の条件に応じて可変である。また、同様の植栽基盤６〜８は、池用のコンテナ状容器内にも設置可能である。植栽は、直植えの他、植物の植え替え等を容易にするため、ポット、プランター等の容器類をコンテナ状容器内に並べ、周囲を土壌材料等により囲むようにして固定する。
【００１５】
なお、池用のコンテナ状容器１に対して、植栽用のコンテナ状容器２の設置位置に高度差をつけるようにしてもよいし、また、深さの異なるコンテナ状容器同士を連結させることにより、植栽面の高さに差をつけた地盤を形成するようにしてもよい。
【００１６】
以上、本発明の実施の形態について説明したが、本発明はこれに限定されるものではなく種々の変更が可能である。例えば、上記実施形態においては隣接するコンテナ状容器を連結部材で連結するようにしているが、連結部材を無くして被覆部材のみで構成してもよく、その場合にも、コンテナ状容器間での歩行路環境を形成することができるとともに、コンテナ状容器内植栽基盤間および接地地面とコンテナ状容器内植栽基盤間の連続性を保ち、生物のコンテナ状容器間の移動および接地地面とコンテナ状容器内植栽基盤間の移動を可能にする。
【００１７】
【発明の効果】
以上の説明から明らかなように本発明によれば、新しい防水工事や設備工事を必要とせず、短期間で且つ安価で設置、移動、撤去を行うことができる。また、軽量であるうえに全体形状を自由に構成できるため、建築物における設置場所やその面積、形状によらず、空間を有効的に利用したビオトープの形成が可能となる。さらに、池用のコンテナ状容器を容易に連結することにより、ビオトープ空間の生物多様性の向上を図ることができる。
【図面の簡単な説明】
【図１】本発明のユニット型ビオトープの１実施形態を示す全体斜視図である。
【図２】図１のコンテナ状容器の斜視図である。
【図３】複数の植生用のコンテナ状容器の連結方法を示す斜視図である。
【図４】本発明のユニット型ビオトープの１実施形態を示す断面図である。
【符号の説明】
１…池用のコンテナ状容器
２…植栽用のコンテナ状容器
３ａ…歩行路用連結部材
３ｂ…切欠部用連結部材
４…被覆部材
６…人工骨材層
７…人工軽量土壌層
ｋ…切欠部
【図１】
0003864375.tif 000002
【図２】
0003864375.tif 000003
【図３】
0003864375.tif 000004
【図４】
0003864375.tif 000005